【手続補正書】
【提出日】平成21年1月13日(2009.1.13)
【手続補正１】
【補正対象書類名】特許請求の範囲
【補正対象項目名】全文
【補正方法】変更
【補正の内容】
【特許請求の範囲】
【請求項１】
少なくとも顔料、分散剤、水を含有する水系顔料分散体を加熱処理することを特徴とする水系顔料分散体の製造方法。
【請求項２】
少なくとも顔料、分散剤、樹脂エマルジョン、水を含有する水系顔料分散体を加熱処理することを特徴とする水系顔料分散体の製造方法。
【請求項３】
前記樹脂エマルジョンとしてアニオン性自己乳化型のエーテル系ポリウレタン樹脂エマルジョンを使用することを特徴とする請求項２に記載の水系顔料分散体の製造方法。
【請求項４】
前記分散剤として界面活性剤を使用することを特徴とする請求項１〜３のいずれかに記載の水系顔料分散体の製造方法。
【請求項５】
前記分散剤の重量基準が顔料１に対し０．１〜２であることを特徴とする請求項１〜４のいずれかに記載の水系顔料分散体の製造方法。
【請求項６】
前記分散剤として下記一般式（１）で示される化合物の少なくとも一種を使用することを特徴とする請求項１〜５のいずれかに記載の水系顔料分散体の製造方法。
【化１】
2006291169.tif 000001
（式中、Ｒは炭素数１〜２０のアルキル基、アリール基、アラルキル基を表わし、ｌは０〜７の整数を表わし、ｎは２０〜２００の整数を表わす。）
【請求項７】
前記分散剤がＰＯＥ（ｎ＝４０）β−ナフチルエーテルであることを特徴とする請求項６に記載の水系顔料分散体の製造方法。
【請求項８】
前記顔料の平均粒径が１５０ｎｍ以下であることを特徴とする請求項１〜７のいずれかに記載の水系顔料分散体の製造方法。
【請求項９】
４０〜８０℃の温度で１〜３３６時間加熱処理することを特徴とする請求項１〜８のいずれかに記載の水系顔料分散体の製造方法。
【請求項１０】
５〜１６８時間加熱処理することを特徴とする請求項９に記載の水系顔料分散体の製造方法。
【請求項１１】
少なくとも請求項２〜１０のいずれかに記載の製造方法により得られた水系顔料分散体を使用することを特徴する水系顔料インクの製造方法。
【請求項１２】
少なくとも顔料、分散剤、樹脂エマルジョン、水を含有する水系顔料インクを加熱処理することを特徴とする水系顔料インクの製造方法。
【請求項１３】
少なくとも顔料、分散剤、水を含有する水系顔料分散体を加熱処理して得られた水系顔料分散体に、少なくとも樹脂エマルジョンを添加し、加熱処理することを特徴とする水系顔料インクの製造方法。
【請求項１４】
前記樹脂エマルジョンが、ポリウレタン系、スチレンアクリル系、アクリルシリコン系から選ばれた少なくとも１種類以上を含むことを特徴とする請求項１２又は１３に記載の水系顔料インクの製造方法。
【請求項１５】
前記ポリウレタン系の樹脂エマルジョンとしてアニオン性自己乳化型のエーテル系ポリウレタン樹脂エマルジョンを使用することを特徴とする請求項１４に記載の水系顔料インクの製造方法。
【請求項１６】
前記分散剤として界面活性剤を使用することを特徴とする請求項１２〜１５のいずれかに記載の水系顔料インクの製造方法。
【請求項１７】
前記分散剤の重量基準が顔料１に対し０．１〜２であることを特徴とする請求項１２〜１６のいずれかに記載の水系顔料インクの製造方法。
【請求項１８】
前記分散剤として下記一般式（１）で示される化合物の少なくとも一種を使用することを特徴とする請求項１２〜１７のいずれかに記載の水系顔料インクの製造方法。
【化２】
2006291169.tif 000002
（式中、Ｒは炭素数１〜２０のアルキル基、アリール基、アラルキル基を表わし、ｌは０〜７の整数を表わし、ｎは２０〜２００の整数を表わす。）
【請求項１９】
前記分散剤がＰＯＥ（ｎ＝４０）βナフチルエーテルであることを特徴とする請求項１８に記載の水系顔料インクの製造方法。
【請求項２０】
前記顔料の平均粒径が１５０ｎｍ以下であることを特徴とする請求項１２〜１９のいずれかに記載の水系顔料インクの製造方法。
【請求項２１】
４０〜８０℃の温度で１〜３３６時間加熱処理することを特徴とする請求項１２〜２０のいずれかに記載の水系顔料インクの製造方法。
【請求項２２】
５〜１６８時間加熱処理することを特徴とする請求項２１に記載の水系顔料インクの製造方法。
【請求項２３】
請求項１１〜２２のいずれかに記載の製造方法により得られた水系顔料インクを収容したことを特徴とするインクカートリッジ。
【請求項２４】
請求項１１〜２２のいずれかに記載の製造方法により得られた水系顔料インクを吐出させて記録を行なう方式のヘッドを備えたことを特徴とするインクジェット記録装置。
【請求項２５】
請求項２４に記載のインクジェット記録装置を用いて印字することを特徴とする画像形成方法。
【請求項２６】
請求項２５に記載の画像形成方法で画像支持体に印字されたことを特徴とする画像形成物。
【請求項２７】
前記画像支持体が紙であることを特徴とする請求項２６に記載の画像形成物。
【手続補正２】
【補正対象書類名】明細書
【補正対象項目名】発明の名称
【補正方法】変更
【補正の内容】
【発明の名称】水系顔料分散体の製造方法、水系顔料インクの製造方法、及び該インクを用いたインクカートリッジ、インクジェット記録装置、画像形成方法、それによる画像形成物
【手続補正３】
【補正対象書類名】明細書
【補正対象項目名】０００１
【補正方法】変更
【補正の内容】
【０００１】
本発明は、インクジェット記録方法及び装置用に好適な水系顔料インクの製造方法、並びに該水系顔料インクの原料である水系顔料分散体の製造方法、さらに該インクを収容したインクカートリッジ、該インクを用いるインクジェット記録装置、画像形成方法及び画像形成物に関する。
【手続補正４】
【補正対象書類名】明細書
【補正対象項目名】００１１
【補正方法】変更
【補正の内容】
【００１１】
すなわち、上記課題は本発明の下記（１）〜（２７）によって解決される。
（１）「少なくとも顔料、分散剤、水を含有する水系顔料分散体を加熱処理することを特徴とする水系顔料分散体の製造方法」；
（２）「少なくとも顔料、分散剤、樹脂エマルジョン、水を含有する水系顔料分散体を加熱処理することを特徴とする水系顔料分散体の製造方法」；
（３）「前記樹脂エマルジョンとしてアニオン性自己乳化型のエーテル系ポリウレタン樹脂エマルジョンを使用することを特徴とする前記（２）に記載の水系顔料分散体の製造方法」；
（４）「前記分散剤として界面活性剤を使用することを特徴とする前記（１）〜（３）のいずれかに記載の水系顔料分散体の製造方法」；
（５）「前記分散剤の重量基準が顔料１に対し０．１〜２であることを特徴とする前記（１）〜（４）のいずれかに記載の水系顔料分散体の製造方法」；
（６）「前記分散剤として下記一般式（１）で示される化合物の少なくとも一種を使用することを特徴とする前記（１）〜（５）のいずれかに記載の水系顔料分散体の製造方法。
【手続補正５】
【補正対象書類名】明細書
【補正対象項目名】００１２
【補正方法】変更
【補正の内容】
【００１２】
【化１】
2006291169.tif 000003
（式中、Ｒは炭素数１〜２０のアルキル基、アリール基、アラルキル基を表わし、ｌは０〜７の整数を表わし、ｎは２０〜２００の整数を表わす。）」；
（７）「前記分散剤がＰＯＥ（ｎ＝４０）β−ナフチルエーテルであることを特徴とする前記（６）に記載の水系顔料分散体の製造方法」；
（８）「前記顔料の平均粒径が１５０ｎｍ以下であることを特徴とする前記（１）〜（７）のいずれかに記載の水系顔料分散体の製造方法」；
（９）「４０〜８０℃の温度で１〜３３６時間加熱処理することを特徴とする前記（１）〜（８）のいずれかに記載の水系顔料分散体の製造方法」；
（１０）「５〜１６８時間加熱処理することを特徴とする前記（９）に記載の水系顔料分散体の製造方法」；
【手続補正６】
【補正対象書類名】明細書
【補正対象項目名】００１３
【補正方法】変更
【補正の内容】
【００１３】
（１１）「少なくとも前記（２）〜（１０）のいずれかに記載の製造方法により得られた水系顔料分散体を使用することを特徴する水系顔料インクの製造方法」；
（１２）「少なくとも顔料、分散剤、樹脂エマルジョン、水を含有する水系顔料インクを加熱処理することを特徴とする水系顔料インクの製造方法」；
（１３）「少なくとも顔料、分散剤、水を含有する水系顔料分散体を加熱処理して得られた水系顔料分散体に、少なくとも樹脂エマルジョンを添加し、加熱処理することを特徴とする水系顔料インクの製造方法」；
（１４）「前記樹脂エマルジョンが、ポリウレタン系、スチレンアクリル系、アクリルシリコン系から選ばれた少なくとも１種類以上を含むことを特徴とする前記（１２）又は（１３）に記載の水系顔料インクの製造方法」；
（１５）「前記ポリウレタン系の樹脂エマルジョンとしてアニオン性自己乳化型のエーテル系ポリウレタン樹脂エマルジョンを使用することを特徴とする前記（１４）に記載の水系顔料インクの製造方法」；
（１６）「前記分散剤として界面活性剤を使用することを特徴とする前記（１２）〜（１５）のいずれかに記載の水系顔料インクの製造方法」；
（１７）「前記分散剤の重量基準が顔料１に対し０．１〜２であることを特徴とする前記（１２）〜（１６）のいずれかに記載の水系顔料インクの製造方法」；
（１８）「前記分散剤として下記一般式（１）で示される化合物の少なくとも一種を使用することを特徴とする前記（１２）〜（１７）のいずれかに記載の水系顔料インクの製造方法。
【手続補正７】
【補正対象書類名】明細書
【補正対象項目名】００１４
【補正方法】変更
【補正の内容】
【００１４】
【化２】
2006291169.tif 000004
（式中、Ｒは炭素数１〜２０のアルキル基、アリール基、アラルキル基を表わし、ｌは０〜７の整数を表わし、ｎは２０〜２００の整数を表わす。）」；
（１９）「前記分散剤がＰＯＥ（ｎ＝４０）βナフチルエーテルであることを特徴とする前記（１８）に記載の水系顔料インクの製造方法」；
（２０）「前記顔料の平均粒径が１５０ｎｍ以下であることを特徴とする前記（１２）〜（１９）のいずれかに記載の水系顔料インクの製造方法」；
（２１）「４０〜８０℃の温度で１〜３３６時間加熱処理することを特徴とする前記（１２）〜（２０）のいずれかに記載の水系顔料インクの製造方法」；
（２２）「５〜１６８時間加熱処理することを特徴とする前記（２１）に記載の水系顔料インクの製造方法」；
【手続補正８】
【補正対象書類名】明細書
【補正対象項目名】００１５
【補正方法】変更
【補正の内容】
【００１５】
（２３）「前記（１１）〜（２２）のいずれかに記載の製造方法により得られた水系顔料インクを収容したことを特徴とするインクカートリッジ」；
（２４）「前記（１１）〜（２２）のいずれかに記載の製造方法により得られた水系顔料インクを吐出させて記録を行なう方式のヘッドを備えたことを特徴とするインクジェット記録装置」；
（２５）「前記（２４）に記載のインクジェット記録装置を用いて印字することを特徴とする画像形成方法」；
（２６）「前記（２５）に記載の画像形成方法で画像支持体に印字されたことを特徴とする画像形成物」；
（２７）「前記画像支持体が紙であることを特徴とする前記（２６）に記載の画像形成物」。
【手続補正９】
【補正対象書類名】明細書
【補正対象項目名】００１６
【補正方法】変更
【補正の内容】
【００１６】
本発明によれば、分散剤を含有させて、水系顔料分散体及び水系顔料インクを加熱処理することにより、温度条件の変化によらず物性の変化及び／又は多量の凝集異物を発生することのない分散安定性に優れた水系顔料分散体及び水系顔料インク製造方法を提供することができる。
また本発明によれば、該インクを収容したインクカートリッジ、該インクを用いる画像形成方法、それにより得られる画像形成物を提供することができる。
【手続補正１０】
【補正対象書類名】明細書
【補正対象項目名】００２１
【補正方法】変更
【補正の内容】
【００２１】
【化３】
2006291169.tif 000005
（式中、Ｒは炭素数１〜２０のアルキル基、アリール基、アラルキル基を表わし、ｌは０〜７の整数を表わし、ｎは２０〜２００の整数を表わす。）
【手続補正１１】
【補正対象書類名】明細書
【補正対象項目名】００２５
【補正方法】変更
【補正の内容】
【００２５】
【化４】
2006291169.tif 000006